(57)【要約】【課題】            接着剤を使用せずに簡単に組立可能で、かつ持ち運びに便利な把持部となるひもを設けた組立式箱を提供する。【解決手段】        底部を中心とし底部の周りに４個の側部および４個の折り込み部が連接され、２個の側部には各々に折り返し部が連接されてなる箱部と、箱部に取り付けるひもからなる、物を入れて持ち運びが容易な組立式箱であって、前記箱部にはひもを通すための孔が設けられ、前記ひもを箱部の孔に通して折り曲げることにより、箱部の形を維持することを特徴とする。【選択図】          図１
0003115130.tif 000002
【実用新案登録請求の範囲】
【請求項１】
底部を中心とし底部の周りに４個の側部および４個の折り込み部が連接され、２個の側部には各々に折り返し部が連接されてなる箱部と、箱部に取り付けるひもからなる、物を入れて持ち運びが容易な組立式箱であって、前記箱部にはひもを通すための孔が設けられ、前記ひもを箱部の孔に通して折り曲げることにより、箱部の形を維持することを特徴とする組立式箱。
【請求項２】
前記孔は、底部に２箇所、前記２個の折り返し部に各々１箇所、および折り返し部と連接された２個の側部に各々１箇所設けられていることを特徴とする請求項１に記載の組立式箱。
【請求項３】
前記孔は、底部に２箇所、前記２個の折り返し部に各々１箇所、および折り返し部が連接された２個の側部に各々１箇所、前記４個の折り込み部に各々２箇所設けられていることを特徴とする請求項１に記載の組立式箱。
【請求項４】
箱部の内側となる面に、フィルムが貼り付けられていることを特徴とする請求項１から３のいずれか１項に記載の組立式箱。
【請求項５】
２個の側部に蓋部が連接され、箱部を蓋することができることを特徴とする請求項１から４のいずれか１項に記載の組立式箱。
【請求項６】
前記孔の両端に切り込みが設けられ、前記ひもの向きを変えることができることを特徴とする請求項１から５のいずれか１項に記載の組立式箱。
【請求項７】
底部を中心とし底部の周りに４個の側部および４個の折り込み部が連接され、２個の側部には各々に折り返し部が連接されてなり、内側面にフィルムが貼り付けられている箱部と、箱部に取り付ける装飾クリップからなる組立式箱であって、前記箱部には装飾クリップを通すための孔が設けられ、前記装飾クリップを箱部の孔に通すことにより、箱部の形を維持することを特徴とする組立式箱。
【考案の詳細な説明】
【技術分野】
【０００１】
本考案は、組立式の箱に関し、特に物を入れて持ち運べるように、ひもを取り付けた組立式箱に関する。また前記ひもの代わりに装飾クリップを用いて箱の形が保持される組立式箱に関する。
【背景技術】
【０００２】
従来箱としては、貼り合わせ箱と組立箱が用いられている。これらの箱は、洋菓子や和菓子を入れたりするのに用いられることが多い。
【０００３】
組立箱は、予め設けられた折り曲げ線に沿って折り込まれた状態で箱を成形することが可能なものであり、接着剤等を使用せずに簡単に組み立てることができるが、箱の形状を保持することが難しいものもある。
【０００４】
貼り合わせ箱は、接着剤等を用いて各部材を貼り合わせて箱を形成するものであり、接着剤等を使用することにより強度を有し、箱の形状を保持することが可能である。
【０００５】
上述の箱に把持部を設けて持ち運びを容易にした箱もあるが、主に貼り合わせ箱に設けられる場合が多い。
【考案の開示】
【考案が解決しようとする課題】
【０００６】
貼り合わせ箱は組立に接着剤等が必要であり、組立箱は箱の形を保持するのが難しいという問題点があった。
【０００７】
また、持ち運び用のひも等の把持部を設けるには、別の部品を接着剤等で固定する必要があった。
【０００８】
本考案は、接着剤を使用せずに簡単に組立可能で、かつ持ち運びに便利な把持部としてひもを設けた組立式箱を提供することを目的とする。
【０００９】
又、接着剤を使用せずに装飾クリップを用いて簡単に組立可能な組立式箱を提供することを目的とする。
【課題を解決するための手段】
【００１０】
本考案の組立式箱は、底部を中心とし底部の周りに４個の側部および４個の折り込み部が連接され、２個の側部には各々に折り返し部が連接されてなる箱部と、箱部に取り付けるひもからなる、物を入れて持ち運びが容易な組立式箱であって、前記箱部にはひもを通すための孔が設けられ、前記ひもを箱部の孔に通して折り曲げることにより、箱部の形を維持することを特徴とする。
【００１１】
また、前記孔は、底部に２箇所、前記２個の折り返し部に各々１箇所、および折り返し部と連接された２個の側部に各々１箇所設けられていることが好ましい。
【００１２】
あるいは、前記孔は、底部に２箇所、前記２個の折り返し部に各々１箇所、および折り返し部が連接された２個の側部に各々１箇所、前記４個の折り込み部に各々２箇所設けられていることが好ましい。
【００１３】
そして、箱部の内側となる面に、フィルムが貼り付けられていることが好ましい。
【００１４】
さらに、２個の側部に蓋部が連接され、箱部を蓋することができることが好ましい。
【００１５】
前記孔の両端に切り込みが設けられ、前記ひもの向きを変えることができることが好ましい。
【００１６】
また、本考案の組立式箱は、底部を中心とし底部の周りに４個の側部および４個の折り込み部が連接され、２個の側部には各々に折り返し部が連接されてなり、内側面にフィルムが貼り付けられている箱部と、箱部に取り付ける装飾クリップからなる組立式箱であって、前記箱部には装飾クリップを通すための孔が設けられ、前記装飾クリップを箱部の孔に通すことにより、箱部の形を維持することを特徴とする。
【考案の効果】
【００１７】
本考案の組立式箱は、底部を中心とし底部の周りに４個の側部および４個の折り込み部が連接され、２個の側部には各々に折り返し部が連接されてなる箱部と、箱部に取り付けるひもからなる、物を入れて持ち運びが容易な組立式箱であって、前記箱部にはひもを通すための孔が設けられ、前記ひもを箱部の孔に通して折り曲げることにより、箱部の形を維持することにより、箱の形を堅固に維持することができ、接着剤等を使わない簡単な組立が可能で、持ち運びも容易となる。
【００１８】
また、前記孔は、底部に２箇所、前記２個の折り返し部に各々１箇所、および折り返し部と連接された２個の側部に各々１箇所設けられていることにより、前記孔にひもを通してより堅固に箱の形を維持することができる。
【００１９】
あるいは、前記孔は、底部に２箇所、前記２個の折り返し部に各々１箇所、および折り返し部が連接された２個の側部に各々１箇所、前記４個の折り込み部に各々２箇所設けられていることにより、前記孔にひもを通してより堅固に箱の形を維持することができる。
【００２０】
そして、箱部の内側となる面に、フィルムが貼り付けられていることにより、箱の中に水分を含むものを入れても、箱部が濡れて壊れるのを防ぐことができる。
【００２１】
さらに、２個の側部に蓋部が連接され、箱部を蓋することができることにより、箱に小さな物をたくさん入れた時に、箱から物が落ちることを防ぐことができるようになる。
【００２２】
前記孔の両端に切り込みが設けられ、前記ひもの向きを変えることができることにより、箱に入れる物の出し入れがしやすくなる。
【００２３】
また、本考案の組立式箱は、底部を中心とし底部の周りに４個の側部および４個の折り込み部が連接され、２個の側部には各々に折り返し部が連接されてなり、内側面にフィルムが貼り付けられている箱部と、箱部に取り付ける装飾クリップからなる組立式箱であって、前記箱部には装飾クリップを通すための孔が設けられ、前記装飾クリップを箱部の孔に通すことにより、箱部の形を維持することにより、組立式箱を使用後、装飾クリップを外すことにより簡単に解体でき、フィルムと紙を分別して処分でき、ごみの減量と紙のリサイクルに効果がある。
【本考案を実施するための最良の形態】
【００２４】
図を用いて本考案の組立式箱を図を用いて説明する。図１は組立式箱の全体斜視図、図２は箱部の展開図である。図２に用いられている点線は谷折線、１点鎖線は山折線を示している。
【００２５】
図２に示すように、箱部２は、底部４を中心に、上下に側部５が連接され、左右に側部部６、折り返し部が順に連接されており、底部４の４角には、折り込み部７が側部５および側部６と連接されている。この箱部２を折線に従って折り曲げて組み立てた後、ひも３を用いて固定する。なお図示していないが、箱部の内側となる面には透明のフィルム１０が貼り付けてある。
【００２６】
底部４、側部６および折り返し部８には、ひも３を通すための孔９が設けられている。各孔９は同じ大きさであり、側部６と折り返し部８に設けれた孔９は、側部６と折り返し部８に間にある山折線を挟んで対称に設けられている。これは、山折線に従って折り曲げて、側部６と折り返し部８にひも３を通すために、このような配置が必要となる。
【００２７】
次に、箱部２の組立方法について説明する。底部４の４辺の谷折線に従い、側部５および側部６を内側へと折り曲げる。この時、折り込み部７はその中心にある谷折線に従い半分に折り曲げる。そうして、側部５および側部６を立ち上げた後、図３に示すように、折り込み部７を折り込み部７と側部６の間の山折線に従って折り曲げ、側部６の外側に折り重ねる。その結果、側部６の外側面に両側の折り込み部７が折り込まれた状態となる。
【００２８】
次に、折り返し部８を山折線に従って折り曲げ、側部６の外側面に折り込まれている折り込み部７の上から重ねる。この状態で箱部２の組立は完了となる。
【００２９】
次に、箱部２にひも３を取り付け方法について説明する。ひも３を、折り返し部８と側部６の重なっている孔９に、外側から上から下に通して、そのまま底部４の孔９に通す。この時、箱部２の内側に取り付けられている透明のフィルム１０と箱部２の間にひも３を通すようにする。このため、フィルム１０には孔は設けられていない。
【００３０】
底部４の孔９を通されたひも３は箱部２の外側に出て再び折り返し部８の孔９へと通される。この時ひも３は折り返し部８を押える形となる。折り返し部８の孔９へ通されたひも３は、今度は側部６の孔９には通さずに、側部６と折り返し部８の間を下側へ所定の位置まで通す。
【００３１】
上述の方法でひも３を通した後、最後に通した折り返し部８の孔９の位置と、底部４の孔９の外側の位置で、ひも３を折り曲げる。これにより図４の断面図に示す状態となる。この折り曲げる位置をあらかじめひも３にマーキングしておくと良い。マーキングは、折り曲げ位置を印刷しておいたり、折り曲げ位置の切込みを入れておいても良い。
【００３２】
このようにして、箱部２の片側にひも３を固定した後、もう一方に設けられた孔９に同じ方法でひも３を通す。これにより、ひも３は箱部２の上方で把持部として用いられるようになる。
【００３３】
前記ひも３は、把持部としての機能だけではなく、上述の通し方により、箱部２の形を保持することができる。これは、図４の断面図を見ればわかるように、ひも３は孔９を通すことにより、側部６の外側面にある折り込み部７を押えている折り返し部８を、側部６から離れないように押えているので、折り込み部７が開いて箱部２の形が崩れるのを防いでいる。
【００３４】
上述のようにひも３を通すことにより、本願考案の組立式箱１は接着剤等を用いずに組み立てることができ、その形を保持することができる。また、組立式箱１の持ち運び用の保持部として機能することができる。
【００３５】
このようにして組み立てた組立式箱１に、例えば、花等の入った育苗ポットを入れて使用したり、お菓子を入れて持ち運んだり、様々な用途に使用できる。
【００３６】
特に、組立に接着剤が不用なので、手軽に誰にでも組立が可能で、また物を入れるだけでなく、簡単に持ち運びできるので、様々な物を入れて利用できる。
【００３７】
上記実施形態とは異なり、折り込み部７にも孔９を設け、より堅固に箱部２をひも３により固定することもできる。以下に、折り込み部７に孔９を設けた実施形態について説明する。
【００３８】
図５に示すのが、折り込み部７に孔９を設けた場合の箱部２の展開図である。図５に示すように、折り込み部７には各々２箇所ずつ孔９が設けられている。これは、折り込み部７を中央の谷折線に従って折り曲げた時に、重なるように配置されており、さらに、側部７の外側に折りこまれた時に、側部６および折り返し部８の孔９と重なる位置に設けられている。そのために、折り込み部７は上記実施形態より側部６に対して大きくしてあり、側部６の外側に折り込んだ時に、両側の折り込み部７が重なるように側部６との大きさを調節している。
【００３９】
上記実施形態と同様に箱部２を組立て、ひも３を通す。ひも３を通す時、初めに折り返し部８の孔９に通す時、および再度折り返し部８の孔９に通す時の両方で、折り込み部７の孔９にもひも３を通すようにする。
【００４０】
上記実施形態では、ひも３が折り返し部８を押えることにより、折り返し部８が折り込み部７を押える形となっており、折り込み部７はひも３では固定されていなかったが、本実施形態では、図６の断面図に示すように、ひも３は折り返し部８、両側の折り込み部７および側部６を、孔９を通して直接固定することができ、より堅固に箱部２の形状を保持することができる。
【００４１】
上述の両実施形態では、箱部２の上方は開口となっているので、箱部２に蓋を設けた場合の実施形態について説明する。
【００４２】
図７に示すのが、蓋部１１を設けた場合の箱部２の展開図である。蓋部１１は側部５に連接しており、蓋部１１を閉じるための切込み１２を設けている。組立方法は上述の実施形態とほぼ同じ手順で行う。
【００４３】
箱部２を組立て、ひも３を取りつけた後、蓋部１１を閉じるために、図８の斜視図のように、蓋部１１を谷線に従って折り曲げ、互いに設けられた切込み１２に差込み、蓋部１１を閉じる。このように、蓋部１１を設けることにより、組立式箱１に蓋をすることができる。
【００４４】
この蓋部１１および切り込みの形状は特に限定するものではなく、蓋をすることができる他の形状でもよく、片方に蓋部１１を設けて蓋をする形にしても良い。このように蓋をすることにより、組立式箱１を持ち運んでいる最中に、箱に入れた物がこぼれたり、落ちたりするのを防ぐことができる。
【００４５】
上述の各実施形態では、孔９とひも３の幅がほぼ同じであり、ひも３の位置は固定された状態となる。このため、組立式箱１に物を出し入れする場合、物の大きさが大きくなると、特に高さが高くなると出し入れがしにくくなるので、ひも３の向きが変えれると便利である。そのため、図９に示すように孔９の両側に切込み１３を設けた実施形態について説明する。
【００４６】
孔９の両側にひも３を移動させるための切込みを設ける。切込み１３を設けるのは、側部６と折り返し部８に設けられた孔９である。折り込み部７に孔９が設けられている場合には、折り込み部７の孔９にも切り込み１３を設ける。切込み１３は、箱部２を組み立てた状態で、孔９の両側の斜め下の方向になるように設ける。
【００４７】
この切込み１３を設けることにより、ひも３を孔９から切込み１３の方に移動させることができ、図９の矢印で示すように、ひも３は箱部２の真上から移動することが可能となり、物の出し入れがしやすくなる。
【００４８】
上記実施形態は把持部としてひも３を用いているが、把持部を設けずに、装飾クリップ１４にて箱部２の形を維持する場合について説明を行う。
【００４９】
箱部２は、図１０に展開図を示しているが、図２の展開図から底部４の孔９を除いたものである。そして図１１に示すようにひも３に代わり装飾クリップ１４を用いる。装飾クリップ１４により箱部２の形を保持するが、取り付け方法としては、図１１に示すように、箱部２の孔９に装飾クリップ１４を通して箱部２の形を保持する。
【００５０】
装飾クリップ１４はひも３と異なり箱部２の上方で繋がっていないので、２個の装飾クリップ１４を用いて、箱部２の両側を固定する。この装飾クリップ１４の装飾は様々なものを使用することができ、色や形状を自由に変更することができ、クリップは、一般に使用されているものを使用し、装飾の無いクリップだけでも使用可能である。
【００５１】
上述のように、本願考案の組立式箱１は、接着剤を用いずに組立可能であり、解体も簡単に行うことができ、解体後もフィルム１０を剥がすだけで分別が可能で、ごみの減量と紙のリサイクルが容易となる。
【００５２】
各実施形態について説明したが、組立式箱１に用いられる材質は、箱部２は、主に紙（ダンボール等）が用いられ、ひも３および装飾クリップ１４については紙を中心にプラスチック、金属等でも良い。ただし、ひも３および装飾クリップ１４は折り曲げることにより、箱部２の形を保持する必要があるので、手で簡単に折り曲げることの出きる材質で無ければならない。
【図面の簡単な説明】
【００５３】
【図１】本考案の組立式箱の斜視図。
【図２】組立式箱の展開図。
【図３】箱部の組立途中の斜視図。
【図４】組立式箱の断面図。
【図５】別の実施形態の組立式箱の展開図。
【図６】別の実施形態の組立式箱の断面図。
【図７】蓋を設けた組立式箱の展開図。
【図８】蓋を設けた組立式箱の斜視図。
【図９】孔に切り込みを設けた組立式箱の斜視図。
【図１０】装飾クリップを用いた実施形態の組立式箱の展開図。
【図１１】装飾クリップを用いた実施形態の組立式箱の斜視図。
【符号の説明】
【００５４】
１    組立式箱
２    箱部
３    ひも
４    底部
５    側部
６    側部
７    折り込み部
８    折り返し部
９    孔
１０  フィルム
１１  蓋部
１２  切り込み
１３  切り込み
１４  装飾クリップ
【図１】
0003115130.tif 000003
【図２】
0003115130.tif 000004
【図３】
0003115130.tif 000005
【図４】
0003115130.tif 000006
【図５】
0003115130.tif 000007
【図６】
0003115130.tif 000008
【図７】
0003115130.tif 000009
【図８】
0003115130.tif 000010
【図９】
0003115130.tif 000011
【図１０】
0003115130.tif 000012
【図１１】
0003115130.tif 000013